(57)【要約】【課題】装着し易い吸収性物品を提供する。【解決手段】吸収性物品の本体部と、前記本体部に重ね合わせられ、液を吸収する吸収部材を有する吸収体であって、長手方向の一端部が第１接合部にて前記本体部に接合され、他端部が第２接合部にて前記本体部に接合される吸収体とを備え、前記第１接合部と前記第２接合部の間の前記吸収体の長さである吸収体長さは、前記第１接合部と前記第２接合部の間の前記本体部の長さである本体部長さ以上であること。【選択図】図１２
2008246092.tif 000002
【特許請求の範囲】
【請求項１】
吸収性物品の本体部と、
前記本体部に重ね合わせられ、液を吸収する吸収部材を有する吸収体であって、長手方向の一端部が第１接合部にて前記本体部に接合され、他端部が第２接合部にて前記本体部に接合される吸収体と、
を備え、
前記第１接合部と前記第２接合部の間の前記吸収体の長さである吸収体長さは、前記第１接合部と前記第２接合部の間の前記本体部の長さである本体部長さ以上である、
ことを特徴とする吸収性物品。
【請求項２】
請求項１に記載の吸収性物品であって、
前記吸収体長さ及び前記本体部長さは自然状態での長さであることを特徴とする吸収性物品。
【請求項３】
請求項１または請求項２に記載の吸収性物品であって、
前記第１接合部及び前記第２接合部では、前記本体部と前記吸収体とが剥離不能に接合されることを特徴とする吸収性物品。
【請求項４】
請求項１から請求項３のいずれかに記載の吸収性物品であって、
前記吸収体長さは、前記吸収体が前記本体部と対向する側の面に沿った長さであり、前記本体部長さは、前記本体部が前記吸収体と対向する側の面に沿った長さであることを特徴とする吸収性物品。
【請求項５】
請求項１から請求項４のいずれかに記載の吸収性物品であって、
前記吸収体長さと前記本体部長さとが等しいことを特徴とする吸収性物品。
【請求項６】
請求項１から請求項５のいずれかに記載の吸収性物品であって、
前記第１接合部と前記第２接合部の間にて、前記本体部と前記吸収体は分離可能な状態であることを特徴とする吸収性物品。
【請求項７】
請求項６に記載の吸収性物品であって、
使用者が装着の際に摘める摘み部が前記吸収体に設けられていることを特徴とする吸収性物品。
【請求項８】
請求項６または請求項７に記載の吸収性物品であって、
前記吸収体は前記吸収部材の外側を覆う表面部材を備え、
前記吸収体には、前記吸収部材は有さず前記表面部材を有する封止部が存在することを特徴とする吸収性物品。
【請求項９】
請求項８に記載の吸収性物品であって、
前記封止部は、使用者が装着の際に摘める摘み部として作用することを特徴とする吸収性物品。
【請求項１０】
請求項８または請求項９に記載の吸収性物品であって、
使用者が装着の際に前記吸収体を前記第２接合部側へ引き上げる場合、
前記封止部は、前記第１接合部よりも前記第２接合部の近くに設けられることを特徴とする吸収性物品。
【請求項１１】
請求項１０に記載の吸収性物品であって、
装着時の前記吸収体の位置を保持する係止部が、前記封止部と前記第１接合部の間に設けられることを特徴とする吸収性物品。
【発明の詳細な説明】
【技術分野】
【０００１】
本発明は、液を吸収するための吸収性物品に関する。
【背景技術】
【０００２】
従来、経血などの所定の液体を吸収するための吸収体を備えた吸収性物品が知られている。このような吸収性物品には、例えば液体を吸収する上層部と、上層部に重ね合わされた下層部とを有する２層構造のものがある。更に、上層部と身体の溝部のフィット性を高めるため、上層部が長手方向に伸縮可能な弾性部材を介して下層部に連結され、自然状態（非応力下）において上層部が下層部から上方に離隔して位置する吸収性物品も提案されている。（例えば、特許文献１参照）
【特許文献１】特開平１１−１０４１６８号公報
【発明の開示】
【発明が解決しようとする課題】
【０００３】
吸収性物品の使用者は、通常、身体から離した下着の内面と吸収性物品の裏面とを接着固定し、その後、下着を身体側に引き上げることで、吸収性物品を装着する。そのため、上記のような２層構造の吸収性物品では、自然状態において下層部（本体部）が上層部（吸収体）に対して湾曲するため、下着の内面と下層部の裏面との接着固定が不安定となり、使用者が吸収性物品を装着し難いという課題があった。
【０００４】
そこで本発明は、上記のような従来の問題に鑑みなされたものであって、装着し易い吸収性物品を提供することを目的とする。
【課題を解決するための手段】
【０００５】
上記のような課題を解決するために、主たる本発明は、吸収性物品の本体部と、前記本体部に重ね合わせられ、液を吸収する吸収部材を有する吸収体であって、長手方向の一端部が第１接合部にて前記本体部に接合され、他端部が第２接合部にて前記本体部に接合される吸収体と、を備え、前記第１接合部と前記第２接合部の間の前記吸収体の長さである吸収体長さは、前記第１接合部と前記第２接合部の間の前記本体部の長さである本体部長さ以上である、ことを特徴とする吸収性物品であることを特徴とする吸収性物品である。
【発明の効果】
【０００６】
本発明によれば、装着し易い吸収性物品を提供することが可能である。
【発明を実施するための最良の形態】
【０００７】
本明細書及び図面には、少なくとも次の事項が開示されている。
【０００８】
吸収性物品の本体部と、前記本体部に重ね合わせられ、液を吸収する吸収部材を有する吸収体であって、長手方向の一端部が第１接合部にて前記本体部に接合され、他端部が第２接合部にて前記本体部に接合される吸収体と、を備え、前記第１接合部と前記第２接合部の間の前記吸収体の長さである吸収体長さは、前記第１接合部と前記第２接合部の間の前記本体部の長さである本体部長さ以上である、ことを特徴とする吸収性物品である。  
このような吸収性物品によれば、自然状態において、吸収体が本体部から上方に離隔してしまうことを抑えられ、本体部が吸収体に対して湾曲してしまうことを抑えられる。そうすると、本体部は、ほぼ平面な状態となり、下着の内面と本体部の裏面とがしっかりと接着固定され、下着を引き上げる際の吸収性物品のふら付きが抑えられる。つまり、使用者は、このような吸収性物品であれば容易に装着することができる。
【０００９】
かかる吸収性物品であって、前記吸収体長さ及び前記本体部長さは自然状態での長さであることを特徴とする。  
このような吸収性物品によれば、自然状態において、本体部がほぼ平面な状態となるため、使用者による装着が容易となる。仮に、吸収性物品が押し広げられた状態において、吸収体長さが本体部長さ以上であるとしても、自然状態において、吸収体長さが本体部長さよりも短いと、使用者は吸収性物品を手で押し広げながら下着の内面と吸収性物品の裏面とを接着固定するため、装着し難い。
【００１０】
かかる吸収性物品であって、前記第１接合部及び前記第２接合部では、前記本体部と前記吸収体とが剥離不能に接合されること。  
このような吸収性物品によれば、本体部に対する吸収体の動きが規制されるため、液体を吸収した吸収体により、下着等が汚損することを防ぐことができる。例えば、吸収体の第２接合部が剥離可能に接合されている場合、第１接合部を支点として、吸収体が第１接合部の前後に移動可能となる。そうすると、吸収性物品を取り外す際に、吸収体の第２接合部側が第１接合部を越えた反対側に倒れ、下着等を汚損してしまう虞がある。
【００１１】
かかる吸収性物品であって、前記吸収体長さは、前記吸収体が前記本体部と対向する側の面に沿った長さであり、前記本体部長さは、前記本体部が前記吸収体と対向する側の面に沿った長さであること。  
このような吸収性物品によれば、吸収体と本体部とがお互いに対向する側の面において、吸収体長さが本体部長さ以上となるため、本体部の第１接合部から第２接合部に亘って、本体部と吸収体が接触することができる。
【００１２】
かかる吸収性物品であって、前記吸収体長さと前記本体部長さとが等しいこと。  
このような吸収性物品によれば、吸収体と本体部を伸ばした状態で、吸収体と本体部を接合できるため、製造工程が容易になる。吸収体長さが本体部長さよりも長い場合には、本体部長さよりも吸収体長さが長い分だけ、吸収体を浮かせたり、吸収体を折り重ねたりした状態で、本体部と吸収体を接合する必要がある。
【００１３】
かかる吸収性物品であって、前記第１接合部と前記第２接合部の間にて、前記本体部と前記吸収体は分離可能な状態であること。  
このような吸収性物品によれば、本体部に対して吸収体を引き上げることができるため、吸収体を身体の溝部に密着させ、経血等の漏れを防ぐことができる。
【００１４】
かかる吸収性物品であって、使用者が装着の際に摘める摘み部が前記吸収体に設けられていること。  
このような吸収性物品によれば、使用者が摘み部を摘んで、吸収体を身体の溝に密着させることができる。もし、吸収体の両端が本体部に剥離不能に接合されていたとしても、使用者は容易に吸収体を引き上げることができる。
【００１５】
かかる吸収性物品であって、前記吸収体は前記吸収部材の外側を覆う表面部材を備え、前記吸収体には、前記吸収部材は有さず前記表面部材を有する封止部が存在すること。  
このような吸収性物品によれば、封止部は吸収部材を有さず剛性が低いため、吸収体を身体の溝に密着させた際に生じる吸収体の余分長さを封止部にて折り畳んで解消することができる。また、封止部を折り畳んでも厚みが薄く、他の部位との段差が生じないため、装着時の違和感を抑えられる。
【００１６】
かかる吸収性物品であって、前記封止部は、使用者が装着の際に摘める摘み部として作用すること。  
このような吸収性物品によれば、封止部を摘まんで吸収体を引き上げることで、吸収体を身体の溝に密着させた際に生じる吸収体の余分長さが、自ずと封止部にて折り重ねられる。
【００１７】
かかる吸収性物品であって、使用者が装着の際に前記吸収体を前記第２接合部側へ引き上げる場合、前記封止部は、前記第１接合部よりも前記第２接合部の近くに設けられること。  
このような吸収性物品によれば、吸収体が第２接合部側に引き上げられることで、吸収体を身体の溝に密着させた際に生じる吸収体の余分長さが、自ずと第２接合部側の封止部にて折り畳まれ、解消される。
【００１８】
かかる吸収性物品であって、装着時の前記吸収体の位置を保持する係止部が、前記封止部と前記第１接合部の間に設けられること。  
このような吸収性物品によれば、吸収体が身体の溝に密着された状態を係止部により維持することができる。また、係止部よりも前方（第１接合部側）の吸収体は、吸収体が引き上げられた状態となるため、吸収体に余分長さが生じた場合、係止部よりも後方（第２接合部側）の封止部が折り重ねられる。
【００１９】
＝＝＝本実施形態＝＝＝
〈生理用ナプキンの概略構成〉
以下、吸収性物品を生理用ナプキン１として説明する。まず、本実施形態の生理用ナプキン１の構成の概要について説明する。以下では、身体に接触する側を表面側とし、下着９０（着衣）に接する側を裏面側とし、装着時に身体の前側に位置する端部を前端部とし、後側に位置する端部を後端部として説明する。また、生理用ナプキン１の表面又は裏面の法線方向を厚み方向とする。図１は、展開状態の生理用ナプキン１の表面側の平面図であり、図２は、図１中のII−II断面図である。また、図３は、生理用ナプキン１の斜視図である。
【００２０】
この生理用ナプキン１は、ベース吸収体１０（本体部に相当）と、ベース吸収体１０の表面に重ね合わせられ、ベース吸収体１０の幅方向における中央ＣＬに、長手方向に沿って配置されたトップ吸収体２０（吸収体に相当）とを備えている。また、生理用ナプキン１は全体として所定方向に長い形状を成し、以下では、この所定方向を長手方向とし、この長手方向と直交する方向を幅方向とする。なお、前記長手方向は、装着状態において身体の前後方向と一致する。
【００２１】
トップ吸収体２０の前端部２０ａ及び後端部２０ｂは、各々、ベース吸収体１０の前端部１０ａ及び後端部１０ｂに剥離不能に接合されている。また、前端部２０ａ及び後端部２０ｂ以外のトップ吸収体２０はベース吸収体１０に対して分離可能な状態となっている。
【００２２】
生理用ナプキン１の使用者は、長手方向が身体の前後方向に沿うように、ベース吸収体１０の裏面側を下着９０の内面に接着固定する。そして、使用者は、下着９０をはいた状態においてトップ吸収体２０の後側を引き上げ、トップ吸収体２０が臀部等の溝に入り込むように装着する。そすることで、主にトップ吸収体２０によって前記溝から排泄される経血等の液体が吸収される。
【００２３】
ちなみに、この生理用ナプキン１にあっては、図１に示すように、生理用ナプキン１の幅方向における中心線ＣＬ上であって、長手方向における中央より前側に、膣口（身体排泄口に相当）対面想定位置Ｚが位置するようになっている。すなわち、生理用ナプキン１にあっては、膣口対面想定位置Ｚから後側の長さの方が、同位置Ｚから前側の長さより長く形成されている。
【００２４】
以下、生理用ナプキン１の各構成要素について詳細に説明する。
【００２５】
＜ベース吸収体１０について＞
図４は、ベース吸収体１０の表面側の平面図であり、図５は同裏面側の平面図であり、図６Ａから図６Ｃは、それぞれ、図４中のＡ−Ａ断面図、同Ｂ−Ｂ断面図、同Ｃ−Ｃ断面図である。なお、これらの図中ではトップ吸収体２０を透視しつつその外形線のみを仮想的に点線で示している。
【００２６】
ベース吸収体１０の平面形状は、長手方向に長尺な略長方形である。そして、ベース吸収体１０は、液体を吸収する吸収体基材１２と、少なくとも吸収体基材１２の表面側をその全面に亘って覆って設けられた表面シート１４と、吸収体基材１２に吸収された液体の裏面側への漏れを防止するための裏面シート３０と、幅方向の外側への液体の漏れを防ぐ防漏壁４６を形成するためのサイドシート４０と、を有する。
【００２７】
吸収体基材１２は、パルプを粉砕した粉砕パルプを積層させた粉砕パルプ積層体１２ａと、粉砕パルプ積層体１２ａの中に混入された高吸収性ポリマーと、粉砕パルプ積層体１２ａを包むティッシュペーパー等の液透過性シート（不図示）と、を有する。
【００２８】
表面シート１４は液透過性シートであり、その素材は適宜な不織布等で、例えば、ポリエステルやポリエチレン等の合成樹脂繊維で形成されたエアースルー不織布や同スパンレース不織布等が親水化処理等されて使用される。
【００２９】
そして、表面シート１４と吸収体基材１２は、ホットメルト系接着剤ＨＭＡが介在された状態で溝付きエンボス加工がなされ、厚み方向に圧縮され、接合一体化される。溝付きエンボス加工とは互いに対向する一対の挟圧部材（不図示）を用いて行われる。一対の挟圧部材のうちの一方の挟圧部材は、連続するリブ状の突部を有すると共に、リブ状の突部の頂部には更に島状の突部がリブ状の突部の連続方向に関して間欠的に設けられている。また、もう一方の挟圧部材におけるリブ状の突部と対向する面は平坦に形成されている。よって、溝付きエンボス加工後の表面シート１４と吸収体基材１２に形成される圧縮溝１５は、図４に示すように、低い圧縮率で圧縮された低圧縮部１５ａと、それよりも高い圧縮率で圧縮された高圧縮部１５ｂとが圧縮溝１５の延在方向に交互に形成されている。
【００３０】
また、このような圧縮溝１５が形成された領域の剛性は高くなる。図４に示すように、ベース吸収体１０上には長手方向に沿って略４本の圧縮溝が形成されるため、ベース吸収体１０は幅方向に変形し難くなる。例えば、幅方向に突出した保持部３２（後述）が存在する中央領域Ｒｃでは、身体の股間が当接して幅方向に挟み込まれるため、仮に中央領域Ｒｃの幅方向の剛性が小さいと、股間による挟み込みに抗しきれずに中心線ＣＬに沿ってベース吸収体１０は折れてしまう。すると、トップ吸収体２０はベース吸収体１０に両脇から挟み込まれ、トップ吸収体２０に長手方向に沿って形成された皺等により、トップ吸収体２０と臀部の溝との密着性が悪くなってしまう。このような剛性が必要な領域を対象に選択的に圧縮溝１５が形成される。
【００３１】
裏面シート３０は、例えばポリエチレンやポリプロピレン等を素材とする液不透過性シートであり、その形状は、長手方向には吸収体基材１２よりも長く、幅方向には吸収体基材１２よりも広い形状である。そして、図６Ｂに示すように、裏面シート３０の表面側に、ホットメルト系接着剤にて吸収体基材１２が接着され、また、前端部１０ａ及び後端部１０ｂにおいて裏面シート３０と表面シート１４は溶着等により接合され、これにより、裏面シート３０と表面シート１４との間に吸収体基材１２が保持されている。
【００３２】
なお、図５に示すように、裏面シート３０の裏面側には、生理用ナプキン１を下着９０の内面に配置した後に、その配置位置から生理用ナプキン１がずれないように下着９０の内面に接着固定するための「ずれ止め用付着部３１」が設けられている。このずれ止め用付着部３１は、例えば、裏面シート３０の裏面における所定範囲に塗布されたホットメルト系接着剤であり、ベース吸収体１０の前端部１０ａから後端部１０ｂまでに亘って連続して形成されている。
【００３３】
また、下着９０と生理用ナプキン１とのずれ止めをより強固なものにすべく、図５に示すように、裏面シート３０の幅方向の両端には、保持部３２が幅方向の外側に突出して形成されている。保持部３２の裏面にも「ずれ止め用付着部３３」が設けられおり、保持部３２は外側に折り返され、ずれ止め用付着部３３によって下着９０の外面に接着固定される。ちなみに、長手方向に関する保持部３２の中心位置と、前述の膣口対面想定位置Ｚとは一致している。
【００３４】
サイドシート４０は、図６Ｂに示すように吸収体基材１２の幅方向の両端部の近傍位置に防漏壁４６を形成するためのものであり、図４に示すように長手方向に沿って表面シート１４を表面側から覆って設けられている。なお、サイドシート４０は疎水性シートからなり、その素材としては、例えば、ポリプロピレンやポリエチレン等の合成樹脂繊維で形成されたスパンボンド不織布等が使用される。
【００３５】
詳しくは、図４に示すように、幅方向に一対のサイドシート４０が、幅方向の中心線ＣＬに関して線対称に配置され、長手方向に沿って裏面シート３０の前端部から後端部まで、つまり生理用ナプキン１の外形輪郭まで延びている。そして、図６Ｂに示すように、各サイドシート４０は、それぞれに、吸収体基材１２の幅方向の両端部の近傍位置において表面シート１４に圧着固定されて固定部４４が形成されており、この固定部４４から端部４６が自由端になっている。この端部４６には、弾性部材４８が伸長下の状態で長手方向に沿って固定されている。よって、生理用ナプキン１の装着時に表面側が内側となるように湾曲すると弾性部材４８が収縮し、自由端たる前記端部４６は表面シート１４から起立して防漏壁４６となる。なお、防漏壁たる端部４６の長手方向の前端部及び後端部は、図６Ａ及び図６Ｃに示すように、表面シート１４側に伏せられた状態でホットメルト系接着剤によりサイドシート４０に接合されており、起立しない未起立部となっている。
【００３６】
また、これらサイドシート４０は、それぞれに、固定部４４から更に幅方向の外側へと延出しており、つまり、その外端縁は裏面シート３０の外形輪郭、つまり生理用ナプキン１の外形輪郭にまで達している。そして、外端縁（図４中で網掛けで示す部分を参照）は、裏面シート３０の幅方向の外端縁と長手方向に亘って熱圧着等により接合される。ちなみに各シートの層間にはホットメルト系接着剤ＨＭＡが介在していることが好ましい。
【００３７】
＜トップ吸収体２０について＞
図７は展開状態のトップ吸収体２０の平面図であり、図８Ａから図８Ｄは、それぞれ、図７中のＡ−Ａ断面図、同Ｂ−Ｂ断面図、同Ｃ−Ｃ断面図、同Ｄ−Ｄ断面図である。
【００３８】
トップ吸収体２０は、液体を吸収する粉砕パルプ積層体２２と、粉砕パルプ積層体２２よりも表面側に配された中間シート２３と、これら粉砕パルプ積層体２２及び中間シート２３をひとまとめに包み込み、これら粉砕パルプ積層体２２等を長手方向に長い長尺体形状に保持するための保形シート２４と、を有している。
【００３９】
中間シート２３は、保形シート２４よりも液体の引き込み性に優れた液透過性シートであり、その素材としては、例えばポリプロピレン等の合成樹脂繊維で形成されたエアースルー不織布等が使用される。この中間シート２３は、保形シート２４と重ね合わされた状態で開孔エンボス加工が施され、これにより中間シート２３は保形シート２４に接合一体化される。
【００４０】
ちなみに、開孔エンボス加工は、互いに対向する一対の加工部材（不図示）を用いて行われる。すなわち、一方の加工部材には円錐状の突部が設けられており、対向する他方の加工部材には前記突部が入り込む穴部が設けられている。そして、前記突部が形成されている加工部材は加熱されており、円錐状の突部が、互いに重ね合わされた中間シート２３と保形シート２４とを貫通して多数の孔２８（図１を参照）が形成される際に孔縁部が熱融着されることにより中間シート２３は保形シート２４に接合一体化される。
【００４１】
保形シート２４は、液透過性シートであり、その素材には、例えば前述のベース吸収体１０の表面シート１４と同素材が用いられる。この保形シート２４をシート状に平坦に展開した際の平面形状は略長方形である。そして、この展開状態の保形シート２４にホットメルト系接着剤を全面に塗った状態で、図８Ｂに示すように筒体状に丸めるとともに、その幅方向の両端部２４ｅを重ね合わせてホットメルト系接着剤にて接合した状態において、その筒体の内側には前記粉砕パルプ積層体２２や中間シート２３が長手方向に亘って収容される。
【００４２】
また、図８Ａ及び図８Ｄに示すように、トップ吸収体２０の前端部２０ａと後端部２０ｂには、粉砕パルプ積層体２２や中間シート２３が無い状態で折り畳まれる。そして、畳まれた部分にホットメルト系接着剤（不図示）が介在された状態でエンボス加工による圧着が施され、これにより保形シート２４（表面部材に相当）の長手方向の前端部２０ａ及び後端部２０ｂは封止されて、薄厚の封止部２５、２６となっている。なお、前方の封止部２５の長手方向の長さをＬａとし、後方の封止部２６の長手方向の長さをＬｉとする。
【００４３】
他に、図７及び図８Ｃに示すように、トップ吸収体２０の裏面側には、トップ吸収体２０をベース吸収体１０の表面に固定するための係止部２７が設けられている。この係止部２７により、トップ吸収体２０を装着時に調整される好適な位置に維持することができる。それに加え、製造工程においても、トップ吸収体２０は係止部２７によりベース吸収体１０に固定され、トップ吸収体２０とベース吸収体１０の相対移動が規制される。
【００４４】
係止部２７として、粘着材やフック材（面ファスナーの雄材）等を用いることができる。例えば、平面から所定の角度に傾いた複数の針状のピンが配列されているフック材では、一方向に引っ張る際には繊維に引っ掛かり難く、一方向には係止が解除されやすくなり、他方向には引っ張る際には繊維が引っ掛かり易く、他方向には係止されやすいフック材等が挙げられる。また、係止力を高める目的で、トップ吸収体２０側に設けられた面ファスナーの雄材に対応する面ファスナーの雌材をベース吸収体１０側に設けても良い。
【００４５】
更には、図７及び図８Ｄに示すように、トップ吸収体２０の後端側の封止部２６から係止部２７（後述）にかけて、保形シート２４の内側に防漏シート５１が設けられている。この防漏シート５１は液不透過性シートであり、例えば、装着時にトップ吸収体２０が後方へ引き上げられた分だけ、トップ吸収体２０の粉砕パルプ積層体２２が存在する部位が表面側となり、封止部２６が裏面側となるように折り重ねられ、その折り重ねられた部位がベース吸収体１０の後端縁よりも後方へ飛び出す場合、折り重ねられた表面側の粉砕パルプ積層体２２が吸収した液体が、折り重ねられた裏面側の封止部２６に設けられた防漏シート５１によって、下着９０に染み出してしまうことを防ぐことができる。また、図８Ｄに示すように、防漏シート５１は表面側には設けられないため、トップ吸収体２０の粉砕パルプ積層体２２が存在する部位の液体吸収を阻害することはない。なお、この防漏シート５１の素材としては、液体を完全に遮断できるポリエチレンやポリプロピレン等の無孔フィルムが望ましいが、完全に遮断できなくても良く、例えば撥水性繊維からなる不織布等でも良い。
【００４６】
〈トップ吸収体２０とベース吸収体１０との接合について〉
図１に示すように、トップ吸収体２０は、ベース吸収体１０の表面側に、それぞれの幅方向の中心線ＣＬを揃えて重ね合わせられた状態で、トップ吸収体２０の前端部２０ａとベース吸収体１０の前端部１０ａが本接合され、トップ吸収体２０の後端部２０ｂとベース吸収体の後端部１０ｂが本接合される。本接合される前端側の部位を第１接合部１０ｇとし、本接合される後端側の部位を第２接合部１０ｈとし、図４に濃色で示す。本実施形態では、ベース吸収体１０の第１接合部１０ｇ及び第２接合部１０ｈに、ホットメルト系接着剤が塗布され（図中ではＨＭＡと記す）、接着剤が塗布された部位とトップ吸収体２０の前端部２０ａと後端部２０ｂが接着されることにより、本接合される。
【００４７】
ここで本接合とは、トップ吸収体２０とベース吸収体１０とを故意に分離させようとすると、トップ吸収体２０とベース吸収体１０の少なくともいずれか一方の破損を伴うことが余儀なくされる程度に強固に接合された分離不能な状態を言う。また、ホットメルト系接着剤による本接合に限らず、溝付きエンボス加工などにより本接合してもよい。
【００４８】
なお、前端側の第１接合部１０ｇは、図２に示すように、トップ吸収体２０の封止部２５（長手の長さＬａ）だけでなく粉砕パルプ積層体２２が存在する部分（長手の長さＬｇ）まで位置する。仮に、トップ吸収体２０側の本接合の対象部分を、封止部２５のみとすると、剛性が小さくなり過ぎて、全体としてトップ吸収体２０が前後にふらつきやすくなってしまうからである。
【００４９】
本実施形態の生理用ナプキン１では、トップ吸収体２０の中心線ＣＬの長手方向の長さＬ２０（図７）と、ベース吸収体１０の中心線ＣＬの長手方向の長さＬ１０（図４）とが等しい（Ｌ２０＝Ｌ１０）。また、トップ吸収体２０の裏面のほぼ全面をベース吸収体１０の表面と接触させ、トップ吸収体２０がベース吸収体１０から長手方向に突出することなく、トップ吸収体２０の前端とベース吸収体１０の前端が揃えられ、且つ、トップ吸収体２０の後端とベース吸収体１０の後端が揃えられた状態で、トップ吸収体２０とベース吸収体１０は、第１接合部１０ｇと第２接合部１０ｈにて本接合される。
【００５０】
第１接合部１０ｇの長手方向の長さをＬｇとし、第２接合部１０ｈの長手方向の長さＬｈとすると（図４）、第１接合部１０ｇと第２接合部１０ｈの間のトップ吸収体２０の裏面側の中心線ＣＬの長さである吸収体長さＬは、Ｌ＝Ｌ２０−Ｌｇ−Ｌｈとなり、第１接合部１０ｇと第２接合部１０ｈの間のベース吸収体１０の表面側の中心線ＣＬの長さである本体部長さＭは、Ｍ＝Ｌ１０−Ｌｇ−Ｌｈとなる。つまり、吸収体長さＬと本体部長さＭとが等しくなる。
【００５１】
なお、吸収体長さＬと本体部長さＭは、外部からの力が生理用ナプキン１に加わらない自然状態での長さである。また、吸収体長さＬは、トップ吸収体２０がベース吸収体１０と対向する側である裏面側に沿った長さであり、本体部長さＭは、ベース吸収体１０がトップ吸収体２０と対向する側である表面側に沿った長さである。ゆえに、自然状態において、トップ吸収体２０の裏面がベース吸収体１０に接触した状態となる。
【００５２】
そして、吸収体長さＬと本体部長さＭとが等しいため（図４）、トップ吸収体２０とベース吸収体１０を本接合する工程において、トップ吸収体２０とベース吸収体１０を伸ばした状態で接合することができ、製造工程が容易となる。なぜなら、仮に、吸収体長さＬの方が本体部長さＭよりも長いと、本体部長さＭよりも吸収体長さＬの方が長い分だけ、トップ吸収体２０を折り畳んだり、ベース吸収体１０に対してトップ吸収体２０を浮かせたりした状態で本接合しなければならないからである。
【００５３】
また、自然状態の生理用ナプキン１における吸収体長さＬと本体部長さＭが等しいため、自然状態の生理用ナプキン１は水平方向に対して平面な状態となる（厳密には生理用ナプキン１は厚さ方向に厚みがあるため、ベース吸収体１０の裏面が平面な状態となる）。但し、本実施形態の生理用ナプキン１はサイドシート４０を起立させて防漏壁４６とするために、長手方向に伸長下の弾性部材４８が設けられている。そのため、実際には、自然状態におけるベース吸収体１０は、ベース吸収体１０の表面側を内側として水平方向に対して若干湾曲するが、本実施形態では、自然状態において生理用ナプキン１は水平方向に対してほぼ平面な状態であるとする。また、トップ吸収体の後方の封止部２６は、粉砕パルプ積層体２２を有する他のトップ吸収体２０の部位に比べて剛性が低く、ベース吸収体１０が若干湾曲したとしても、封止部２６がベース吸収体１０の湾曲に合わせて変形するため、トップ吸収体２０の裏面とベース吸収体１０の表面が接触した状態が保たれる。
【００５４】
〈包装について〉
図９Ａから図９Ｄは、生理用ナプキン１が包装される様子の説明図である。生理用ナプキン１は、裏面側に配置された長方形状の包装シート３６と共に、長手方向の３カ所Ｐ１,Ｐ２，Ｐ３にて折り曲げられて四つ折りに折り畳まれる。最後に、包装シート３６は、図９Ｄに示すようにリードテープ３８で留められ、その長手方向に沿う外端縁３６ｃが接着封止されて袋状となり、これをもって生理用ナプキン１は包装状態となる。
【００５５】
なお、包装の際には、トップ吸収体２０の裏面の全面がベース吸収体１０の表面に接触した状態で、トップ吸収体２０が内側となるように折り畳まれる。そのため、包装が解かれた自然状態において、トップ吸収体２０の裏面の全面がベース吸収体１０の表面に接触している。
【００５６】
また、図９Ａに示すように生理用ナプキン１の両側の保持部３２はトップ吸収体側へ折り返される。ちなみに、接着剤３３と剥離剤とが塗布された保護シート３５の面と、折り返される前の保持部３２の裏面とが対向するように、保持部３２と保護シート３５とが接着する。その後、保護シート３５と接着した保持部３２がトップ吸収体２０側に折り返され、２枚の保護シート３５は幅方向の中央の重ね合わせられた部分にて、予め塗布されていた接着剤により連結一体化される。その後、連結一体化した保護シート３５の剥離剤が塗布された面と反対側の面には接着剤のみが塗布され、生理用ナプキン１が折り畳まれる際に、保護シート３５上の接着剤と包装シート３６の後端部が重ね合わせられる。こうすることで、使用者が生理用ナプキン１の包装を解く際に、剥離剤の作用により、保持部３２の方に接着剤３３が移着して残り、保持部３２に「ずれ止め用付着部３３」が形成される。
【００５７】
〈身体への生理用ナプキン１の装着について〉
前述の包装状態で使用者の手に渡った生理用ナプキン１は、使用者がリードテープ３８を剥がすことにより包装シート３６が開封され、それに伴って、保護シート３４、３５が剥がされて裏面シート３０の裏面のずれ止め用付着部３１及び保持部３２の裏面のずれ止め用付着部３３が露呈される。包装が解かれた生理用ナプキン１は、まず、下着９０に接着固定される。
【００５８】
図１０は、生理用ナプキン１が下着９０の内面に装着される様子を示す図である。図１１は、下着９０が身体から引き下げられた状態と下着９０が身体に密着した状態を示す図である。下着９０が身体に密着している状態では、生理用ナプキン１を装着することができないため、使用者は、下着９０を身体から引き下げるなどして、下着９０が身体から離された状態にする。その後、下着９０の前身頃９２側に生理用ナプキン１の前方が位置し、下着９０の後身頃９３側に生理用ナプキン１の後方が位置し、下着９０のクロッチ部（股下部）９１に生理用ナプキン１の中央領域Ｒｃ（保持部３２）が位置するように、使用者は生理用ナプキン１を配置し、生理用ナプキン１の裏面のずれ止め用付着部３１を下着９０の内面に接着固定する。その後、使用者は保持部３２を外側に折り返し、ずれ止め用付着部３３によって下着９０の外面に保持部３２を接着固定する。
【００５９】
ところで、図１１に示すように下着９０が身体に密着していると、下着９０は水平方向に対して湾曲するが、下着９０が身体から引き下げられると、下着９０のクロッチ部９１及びクロッチ部９１の近傍部位は、水平方向に対してほぼ平面な状態となる。また、前述の通り、包装が解かれた自然状態での生理用ナプキン１も水平方向に対してほぼ平面な状態となる。即ち、水平方向に対してお互いに平面な状態である下着９０の内面（クロッチ部９１とその近傍部位）と生理用ナプキン１の裏面とが接着することで、接着面積を比較的広くすることができる。つまり、接着面積を広くすることができるということは、生理用ナプキン１と下着９０とがしっかりと接着固定されるということである。なお、図１１に示すような下着９０を身体から引き下げた場合だけでなく、下着９０を完全に身体から離した場合においても、下着９０のクロッチ部９１を水平方向に対して平面な状態にすることは可能であり、生理用ナプキン１は下着９０にしっかりと接着固定される。
【００６０】
ここで、本実施形態の生理用ナプキン１とは異なる生理用ナプキン２を比較例として挙げる。図１２は、本実施形態の生理用ナプキン１と比較例の生理用ナプキン２の断面の概略図である。本実施形態の生理用ナプキン１は、トップ吸収体２０の裏面の第１接合部１０ｇから第２接合部１０ｈまでの長さである吸収体長さＬと、ベース吸収体１０の表面の第１接合部１０ｇから第２接合部１０ｈまでの長さである本体部長さＭとが等しい。一方、比較例の生理用ナプキン２は、トップ吸収体２０´の裏面の第１接合部１０ｇから第２接合部１０ｈまでの長さである吸収体長さＬ´の方が、ベース吸収体１０の表面の第１接合部１０ｇから第２接合部１０ｈまでの長さである本体部長さＭ´よりも短い。
【００６１】
そして、吸収体長さＬ´が本体部長さＭ´よりも短い場合、自然状態において、図１２に示すように、トップ吸収体２０´はベース吸収体１０´の上方に位置し、ベース吸収体１０´は水平方向に対して湾曲してしまう。即ち、比較例の生理用ナプキン２のように水平方向に対して湾曲するベース吸収体１０´の裏面と、水平方向に対してほぼ平面な状態である下着９０の内面（クラッチ部９１とその近傍部位）とが接着固定される場合、本実施形態の生理用ナプキン１に対して、下着９０の内面とベース吸収体１０´の裏面との接着面積が狭くなってしまう。つまり、比較例の生理用ナプキン２は下着９０としっかり接着固定されず、使用者が下着９０を引き上げる際などに、生理用ナプキン２がふら付いてしまう。そうすると、比較例の生理用ナプキン２を身体に当接され難くなってしまう。
【００６２】
また、図１２の比較例の生理用ナプキン２のトップ吸収体２０´が伸縮性のある部材を有する場合には、生理用ナプキン２を外力により伸ばし広げるようにすることで、ベース吸収体１０´を水平方向に対して平面な状態または平面に近い状態にすることは可能である。しかし、使用者が手で生理用ナプキン２を伸ばし広げながら、下着９０の内面に生理用ナプキン２を接着固定しなければならず、使用者は容易に下着９０と比較例の生理用ナプキン２を接着固定することができない。それに加え、生理用ナプキン２の裏面のずれ止め用付着部３１の粘着力は、使用者が下着９０から生理用ナプキンを容易に剥がせる程度の粘着力であるため、下着９０の内面とベース吸収体１０の裏面との接着面積が広くなるように、使用者が伸ばし広げながら、下着９０と生理用ナプキン２を接着固定したとしても、トップ吸収体２０´の収縮力により、ずれ止め用付着部３１の粘着力が剥がれてしまう虞がある。その結果、比較例の生理用ナプキン２は下着９０としっかり接着固定することができずに、下着９０の引き上げの際に、生理用ナプキン２はふら付いてしまう。
【００６３】
他にも、本実施形態の生理用ナプキン１では、包装が解かれた自然状態において、トップ吸収体２０の裏面のほぼ全面がベース吸収体１０に接触しているため、ベース吸収体１０のずれ止め用付着部３１と下着９０の内面を接着させる際に、使用者はトップ吸収体２０の上から（表面側から）手で押さえることができる。しかし、比較例の生理用ナプキン２では、トップ吸収体２０´が空間Ａを介してベース吸収体１０´の上方に位置するため、使用者はトップ吸収体２０´とベース吸収体１０´との間の空間Ａに手をいれて、ベース吸収体１０´のずれ止め用付着部３１と下着９０の内面を接着させなければならず、使用者は容易に比較例の生理用ナプキン２を下着９０に接着固定することができない。
【００６４】
更に、本実施形態の生理用ナプキン１では、トップ吸収体２０とベース吸収体１０の幅方向の中央部が合わさるように接合され、トップ吸収体２０の裏面のほぼ全面がベース吸収体１０に接触した状態で身体に当接されるため、下着９０の引き上げの際に、左右にトップ吸収体２０がずれることなく、トップ吸収体２０を確実に身体の溝部に当接することができる。
【００６５】
以上をまとめると、本実施形態の生理用ナプキン１は、第１接合部と第２接合部の間のトップ吸収体２０の長さである吸収体長さ（＝Ｌ）を、第１接合部と第２接合部の間のベース吸収体１０の長さである本体部長さ（＝Ｍ）以上とすることを特徴とする。
【００６６】
そうすることで、自然状態において、ベース吸収体１０がトップ吸収体２０に対して下方へ湾曲してしまうことなく、また、生理用ナプキン１は水平方向に対してほぼ平面な状態を保てるため、下着９０の内面とベース吸収体１０の裏面とをしっかり接着固定することができる。その結果、生理用ナプキン１が接着固定された下着９０を身体と密着させる際に、生理用ナプキン１がふら付いてしまうことが抑えられ、使用者は容易に生理用ナプキン１を身体に当接することができる。また、本実施形態の生理用ナプキン１は、自然状態において、トップ吸収体２０がベース吸収体１０の上方に浮いてしまうことがなく、トップ吸収体２０の裏面がベース吸収体１０の表面に接触しているため、ベース吸収体１０のずれ止め用付着部３１と下着９０の内面を接着固定しやすい。つまり、本実施形態の生理用ナプキン１は、装着し易い生理用ナプキンであるといえる。
【００６７】
このように、本実施形態の生理用ナプキン１の裏面のずれ止め用付着部３１が下着９０の内面と接着し、保持部３２の裏面のずれ止め用付着部３３が下着９０の外面に接着され、生理用ナプキン１が下着９０にしっかりと接着固定された後に、下着９０が生理用ナプキン１と共に身体側へ引き上げられる。
【００６８】
図１３は、トップ吸収体２０の裏面がベース吸収体１０に接触した状態で、生理用ナプキン１が身体に当接された様子を示す図である。本実施形態の生理用ナプキン１は厚さ方向に厚みがあり、且つ、吸収体長さＬと本体部長さＭとが等しい。そのため、トップ吸収体２０の裏面の全面がベース吸収体１０に接触した状態で、生理用ナプキン１が身体に密着して湾曲すると、図１３に示すような無数のしわが内側のトップ吸収体２０に不規則に生じてしまう。即ち、生理用ナプキン１が装着された下着９０を引き上げて、生理用ナプキン１を身体に当接させただけでは、トップ吸収体２０に生じる無数のしわが原因となり、表面シート１４と粉砕パルプ積層体２２との間に間隙が生じ、その間隙から液体が漏れてしまうおそれがある。
【００６９】
しかし、本実施形態の生理用ナプキン１では、第１接合部１０ｇと第２接合部１０ｈの間にて、トップ吸収体２０とベース吸収体１０が分離可能な状態となっているため、使用者は、トップ吸収体２０とベース吸収体１０の係止部２７による仮接合部を剥離し、トップ吸収体２０が身体の溝に密着するようにトップ吸収体２０を後方へ引き上げる。これにより、図１３に示すトップ吸収体２０上のしわが解消され、且つ、トップ吸収体２０が身体の溝に入り込んで密着するので、液体漏れを防ぐことができる。
【００７０】
図１４は、使用者がトップ吸収体２０を引き上げる様子を示す図である。図１５Ａは、調整されたトップ吸収体２０の位置が維持される様子を示す図である。使用者はトップ吸収体２０の後方の封止部２６を摘んで、トップ吸収体２０を引き上げ、トップ吸収体２０が身体の溝に密着するように調整することができる。即ち、封止部２６が摘み部として機能する。そして、調整されたトップ吸収体２０の好適な位置において、使用者は、係止部２７によりトップ吸収体２０をベース吸収体１０に固定し、トップ吸収体２０が好適な位置からずれてしまうことを防ぐ。こうして、生理用ナプキン１の装着が完了する。
【００７１】
さて、トップ吸収体２０は身体の溝に沿うように後方の第２接合部１０ｈ側へ引き上げられるが、トップ吸収体２０は第２接合部１０ｈにてベース吸収体１０と本接合されているので、トップ吸収体２０が後方に引き上げられた際に生じるトップ吸収体の余分部位（余分長さＥ）は折り重ねられて装着される。図１５Ｂは、装着が完了した生理用ナプキン１の後端部を示す断面図である（図１５Ａの後端部の拡大図）。ここで、長手方向における第２接合部１０ｈの前端の位置を第２接合部位置とする。また、トップ吸収体２０の余分部位とは身体の溝に密着していないトップ吸収体２０の部位であり、余分部位の長さである余分長さＥとは、吸収体長さＬ（自然状態におけるトップ吸収体２０の第１接合部１０ｇから第２接合部１０ｈまでの長さ）から、図１５Ａのようにトップ吸収体２０が身体の溝に密着した状態におけるトップ吸収体２０の第１接合部１０ｇから第２接合部位置（図１５Ｂ）までの長さである必要長さＬｎを引いた長さである（Ｅ＝Ｌ−Ｌｎ）。
【００７２】
そして、トップ吸収体２０は後方に引き上げられるため、後方のトップ吸収体２０が余分部位として折り重ねられる。トップ吸収体２０の後端側は、粉砕パルプ積層体２２を有さない封止部２６であり、粉砕パルプ積層体２２を有するトップ吸収体２０の部位に比べて剛性が低くなっている。即ち、剛性の低い封止部２６が余分部位として折り重ねられる。なお、封止部２６は剛性が低いため、使用者がトップ吸収体２０の余分部位を折り重ねなくとも、トップ吸収体２０が後方へ引き上げられれば、自然と封止部２６が折り重ねられる。また、封止部２６は厚さ方向に薄いため、封止部２６が余分部位として折り重ねられれば、トップ吸収体２０の折り重ねられた部位が厚さ方向に厚くなり過ぎてしまうことを防ぐことができる。
【００７３】
仮に、トップ吸収体２０の後端部まで粉砕パルプ積層体２２が存在していたならば、余分長さＥとして折り重ねられるトップ吸収体２０の部位の剛性が高くなってしまう。そうすると、トップ吸収体２０の余分部位は折り重ねられにくくなり、使用者によるトップ吸収体２０の位置の調整が難しくなってしまう。また、粉砕パルプ積層体２２が存在し、厚さ方向に厚いトップ吸収体２０の部位が折り重ねられると、折り重ねられた部位が厚さ方向に厚くなり過ぎてしまう。その結果、折り重ねられた部位とそれ以外の部位とにおいて厚さ方向に段差が生じ、使用者は装着中に異物感を覚える。
【００７４】
なお、トップ吸収体２０を身体の溝に密着させ、図１３のようなトップ吸収体２０に生じる無数のしわを解消させるために、トップ吸収体２０は後方へ引き上げられる。そして、係止部２７によりトップ吸収体２０の好適な位置が維持されるため、少なくとも第１接合部１０ｇから係止部２７までのトップ吸収体２０は身体の溝に沿って伸ばされた状態となる。そこで、本実施形態の生理用ナプキン１のように封止部２６を係止部２７よりも後方に設ける。即ち、第１接合部１０ｇと封止部２６の間に係止部２７を設けることで、トップ吸収体２０の余分部位として封止部２６が折り重ねられる。
【００７５】
また、封止部２６の保形シート２４の内側に防漏シート５１が設けられている（図８Ｄ）と前述したがこれに限らない。図１５Ｂのように封止部２６が余分長さＥとして折り重ねられる際に、折り重ねられた封止部２６が生理用ナプキンの後端縁１０ｅよりも後方へ飛び出し、保形シート２４の表面側が下着９０と対向してしまう可能性がある。このとき、身体排泄口から排泄された液体が保形シート２４の表面側を伝って封止部２６の保形シート２４の表面側まで伝わった場合に、下着９０を汚してしまう。そのため、例えば、封止部２６の保形シート２４の表面側に更に液不透過性のシートを設けたり、封止部２６は保形シート２４ではなく液不透過性のシートで構成したりしてもよい。
【００７６】
＝＝＝第１変形例＝＝＝
前述の生理用ナプキン１は、吸収体長さＬと本体部長さＭを等しくしているがこれに限らず、吸収体長さＬが本体部長さＭ以上である生理用ナプキンであれば、ベース吸収体１０を水平方向に対してほぼ平面に保つことができ、使用者が容易に装着することができる。例えば、吸収体長さＬが本体部長さＭよりも長くてもよく、この場合、使用者は、トップ吸収体２０の位置を調整し易くなる。  
但し、本体部長さＭに対して吸収体長さＬを長くし過ぎてしまうと、余分長さＥが増えるため、トップ吸収体２０を後方へ引き上げて、位置を固定する際に、余分長さＥの扱いが煩わしくなってしまう。  
また、トップ吸収体２０とベース吸収体１０の両端を接合する製造工程において、本体部長さＭよりも吸収体長さＬが長い分だけ、トップ吸収体２０を折り畳んだり、ベース吸収体１０に対してトップ吸収体２０浮かせたりする等して接合しなければならないため、吸収体長さＬと本体部長さＭが等しい場合に比べると接合工程が複雑になる。
【００７７】
＝＝＝第２変形例＝＝＝
図１６は、本実施形態の生理用ナプキン１の変形例である生理用ナプキン３を示す図である。第２変形例の生理用ナプキン３には、使用者がトップ吸収体２０を引き上げて身体の溝に密着させる際に、使用者が摘める摘み部６０を設ける。トップ吸収体２０とベース吸収体１０の両端が本接合されている場合、摘み部６０が設けられていることで、使用者はトップ吸収体を後方へ引き上げ易くなる。  
また、摘み部６０は吸収体長さＬ（第１接合部１０ｇから第２接合部１０ｈまでのトップ吸収体２０の長さ）に含まずに、吸収体長さＬを本体部長さＭ以上にすることで、生理用ナプキン３を水平方向に対してほぼ平面な状態にすることができる。即ち、使用者は生理用ナプキン３を容易に装着することができる。  
なお、摘み部６０は後付けしてもよいし、保形シートが折り畳まれ、粉砕パルプ積層体２２を有さない部位の長さを、封止部２６と摘み部６０の両方が作成できる長さにして、摘み部６０を作成してからトップ吸収体２０とベース吸収体１０の両端を接合してもよい。
【００７８】
＝＝＝その他の実施形態＝＝＝
前述の実施形態では、トップ吸収体２０とベース吸収体１０の両端部が本接合されているがこれに限らない。例えば、トップ吸収体２０のどちらか一端を使用者が容易に分離できる程度にベース吸収体１０に仮接合してもよい。但し、前端部のみが本接合されている場合、生理用ナプキンの使用者が下着を下ろす際に、下着９０と共に下方へ移動するベース吸収体１０に対して、溝に挟みこまれたトップ吸収体２０は徐々に下方へと引っ張られ、最後に溝から外れるため、この際に、本接合部を支点にしてトップ吸収体２０が前方へ倒れこむ虞がある。この場合、経血等を吸収したトップ吸収体２０が下着の前身頃やその周辺の物体と接触し、下着を汚損してしまうおそれがある。即ち、両端部が本接合されていることで、下着の汚損を防ぐことができる。
【００７９】
前述の実施形態では、係止部２７を用いて、装着時のトップ吸収体２０の好適な位置を維持しているがこれに限らず、係止部２７を設けなくてもよいとする。この場合、トップ吸収体２０を身体の溝部に密着させて挟むことによりトップ吸収体２０の位置を固定すればよい。
【００８０】
前述の実施形態では、本体部をベース吸収体１０として、本体部は液体を吸収するための吸収体基材を有しているが、これに限らない。例えば、本体部は吸収体基材を有さず、液不透過性の部材で構成し、吸収体（トップ吸収体２０）が吸収した液体を下着９０に浸透させないようにしてもよい。
【００８１】
また、前述の実施形態は、本発明の理解を容易にするためのものであり、本発明を限定して解釈するためのものではない。本発明は、その趣旨に逸脱することなく、変更、改良され得ると共に、本発明にはその等価物が含まれることはいうまでもない。
【図面の簡単な説明】
【００８２】
【図１】展開状態の生理用ナプキンの表面側の平面図である。
【図２】図１中のII−II断面図である。
【図３】生理用ナプキンの斜視図である。
【図４】ベース吸収体の表面側の平面図である。
【図５】ベース吸収体の裏面側の平面図である。
【図６】図６Ａから図６Ｃは、それぞれ、図４中のＡ−Ａ断面図、同Ｂ−Ｂ断面図、同Ｃ−Ｃ断面図である。
【図７】展開状態のトップ吸収体の平面図である。
【図８】図８Ａから図８Ｄは、それぞれ、図７中のＡ−Ａ断面図、同Ｂ−Ｂ断面図、同Ｃ−Ｃ断面図、同Ｄ−Ｄ断面図である。
【図９】図９Ａから図９Ｄは、生理用ナプキンが包装される様子の説明図である。
【図１０】生理用ナプキンが下着の内面に装着される様子を示す図である。
【図１１】下着が身体から引き下げられた状態と下着が身体に密着した状態を示す図である。
【図１２】本実施形態の生理用ナプキンと比較例の生理用ナプキンの断面の概略図である。
【図１３】トップ吸収体の裏面がベース吸収体に接触した状態で生理用ナプキンが身体に当接された様子を示す図である
【図１４】使用者がトップ吸収体を引き上げる様子を示す図である
【図１５】図１５Ａは調整されたトップ吸収体の位置が維持される様子を示す図であり、図１５Ｂは装着が完了した生理用ナプキンの後端を示す図である。
【図１６】本実施形態の生理用ナプキンの変形例である生理用ナプキンを示す図である。
【符号の説明】
【００８３】
１  生理用ナプキン、２  比較例の生理用ナプキン、３  変形例の生理用ナプキン、
１０  ベース吸収体、１０ａ  前端部、１０ｂ  後端部、１２  吸収体基材、
１２ａ  粉砕パルプ積層体、１０ｅ  後端縁、１０ｇ  第１接合部、
１０ｈ  第２接合部、１４  表面シート、２０  トップ吸収体、２０ａ  前端部、
２０ｂ  後端部、２２  粉砕パルプ積層体、２３  中間シート、２４  保形シート、
２５  封止部、２６  封止部、２７  係止部、２８  孔、３０  裏面シート、
３１  ずれ止め用付着部、３２  保持部、３３  ずれ止め用付着部、
３４  保護シート、３５  保護シート、３６  包装シート、３８  リードテープ、
４０  サイドシート、４４  固定部、４６  端部、４８  弾性部材、
５１  防漏シート、６０  摘み部、９０  下着、
ＣＬ  中心線、Ｚ  膣口対面想定位置、Ｌ  吸収体長さ、Ｍ  本体部長さ、
Ｌｎ  必要長さ、Ｅ  余分長さ
【図１】
2008246092.tif 000003
【図３】
2008246092.tif 000004
【図５】
2008246092.tif 000005
【図７】
2008246092.tif 000006
【図９】
2008246092.tif 000007
【図１０】
2008246092.tif 000008
【図１１】
2008246092.tif 000009
【図１２】
2008246092.tif 000010
【図１３】
2008246092.tif 000011
【図１４】
2008246092.tif 000012
【図１５】
2008246092.tif 000013
【図１６】
2008246092.tif 000014
【図２】
2008246092.tif 000015
【図４】
2008246092.tif 000016
【図６】
2008246092.tif 000017
【図８】
2008246092.tif 000018